【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
ビットストリームの中のビデオ情報をコード化するための装置であって、
前記ビットストリームの中の複数のビデオレイヤに関連するビデオ情報を記憶するように構成されたメモリと、前記ビットストリームの中の前記複数のビデオレイヤが、複数のビットストリームパーティションに分割され、ここにおいて、各ビットストリームパーティションが、前記複数のビデオレイヤのうちの少なくとも１つを含み、
前記メモリと通信しており、前記複数のビットストリームパーティションのうちの第１のビットストリームパーティション内の第１のパーティション単位に適用可能なビットストリーム適合パラメータを処理するように構成されたプロセッサと、ここにおいて、前記第１のパーティション単位は、前記第１のビットストリームパーティションの一部である前記複数のビデオレイヤのうちの１つ以上のビデオレイヤに属するが、前記第１のビットストリームパーティションの一部でない前記複数のビデオレイヤのうちの１つ以上の他のビデオレイヤに属さないＶＣＬ  ＮＡＬ単位を含む、
を備える装置。
【請求項２】
前記ビットストリームの中の前記複数のビデオレイヤが、ビットストリームパーティションの１つ以上の利用可能な組合せを規定する区分方式に従って、前記１つ以上のビットストリームパーティションに分割される、請求項１に記載の装置。
【請求項３】
前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、請求項１に記載の装置。
【請求項４】
前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、請求項３に記載の装置。
【請求項５】
前記ビットストリーム適合パラメータによって規定される復号単位の前記数が、前記第１のパーティション単位の中に収まることができるコード化ツリーブロック（ＣＴＢ）の最大数に等しい最大値を上回らない、請求項４に記載の装置。
【請求項６】
前記ビットストリームが、各々が前記ビットストリームの中の１つ以上の連続したネットワーク抽象化レイヤ（ＮＡＬ）ユニットを含む複数の復号単位を含み、ここにおいて、前記ビットストリームの中の前記複数の復号単位の各々が、前記複数のビットストリームパーティションのうちの１つのみに属する１つ以上のＮＡＬ単位を含む、請求項１に記載の装置。
【請求項７】
前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記ビットストリームの中の単一のピクチャに属する１つ以上のＮＡＬ単位を含む、請求項１に記載の装置。
【請求項８】
前記ビットストリームが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記ビットストリームが可変ビットレートを有する、請求項１に記載の装置。
【請求項９】
前記第１のビットストリームパーティションが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記第１のビットストリームパーティションが前記複数のビデオレイヤのうちの最低レイヤを含む、請求項１に記載の装置。
【請求項１０】
ビットストリームの中のビデオ情報をコード化する方法であって、
複数のビットストリームパーティションのうちの第１のビットストリームパーティション内の第１のパーティション単位に適用可能なビットストリーム適合パラメータを処理することと、各ビットストリームパーティションが、前記ビットストリームの中の複数のビデオレイヤのうちの少なくとも１つを含み、ここにおいて、前記第１のパーティション単位は、前記第１のビットストリームパーティションの一部である前記複数のビデオレイヤのうちの１つ以上のビデオレイヤに属するが、前記第１のビットストリームパーティションの一部でない前記複数のビデオレイヤのうちの１つ以上の他のビデオレイヤに属さないＶＣＬ  ＮＡＬ単位を含む、
前記ビットストリームの中の前記第１のビットストリームパーティションに関連するシンタックス要素をコード化することと
を備える方法。
【請求項１１】
前記ビットストリームの中の前記複数のビデオレイヤを、ビットストリームパーティションの１つ以上の利用可能な組合せを規定する区分方式に従って、前記１つ以上のビットストリームパーティションに分割することを更に備える、請求項１０に記載の方法。
【請求項１２】
前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、請求項１０に記載の方法。
【請求項１３】
前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、請求項１２に記載の方法。
【請求項１４】
前記ビットストリーム適合パラメータによって規定される復号単位の前記数が、前記第１のパーティション単位の中に収まることができるコード化ツリーブロック（ＣＴＢ）の最大数に等しい最大値を上回らない、請求項１３に記載の方法。
【請求項１５】
実行されたとき、装置に、請求項１ないし１４のいずれか一項に記載の方法を行わせるコードを備えるコンピュータ可読媒体。
【手続補正２】
【補正対象書類名】明細書
【補正対象項目名】０１７０
【補正方法】変更
【補正の内容】
【０１７０】
[0184]本発明の様々な実施形態について説明した。これら及び他の実施形態は、以下の特許請求の範囲内に入る。
以下に本願の出願当初の特許請求の範囲に記載された発明を付記する。
［Ｃ１］  ビットストリームの中のビデオ情報をコード化するための装置であって、
前記ビットストリームの中の複数のビデオレイヤに関連するビデオ情報を記憶するように構成されたメモリと、前記ビットストリームの中の前記複数のビデオレイヤが、複数のビットストリームパーティションに分割され、ここにおいて、各ビットストリームパーティションが、前記複数のビデオレイヤのうちの少なくとも１つを含み、
前記メモリと通信しており、前記複数のビットストリームパーティションのうちの第１のビットストリームパーティションに関連するビットストリーム適合パラメータを処理するように構成されたプロセッサと、ここにおいて、前記ビットストリーム適合パラメータが、前記第１のビットストリームパーティションに適用可能であるが、前記第１のビットストリームパーティションによって包含されない、前記ビットストリームの別の部分に適用可能でない、
を備える装置。
［Ｃ２］  前記ビットストリームの中の前記複数のビデオレイヤが、ビットストリームパーティションの１つ以上の利用可能な組合せを規定する区分方式に従って、前記１つ以上のビットストリームパーティションに分割される、Ｃ１に記載の装置。
［Ｃ３］  前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、Ｃ１に記載の装置。
［Ｃ４］  前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、Ｃ３に記載の装置。
［Ｃ５］  前記ビットストリーム適合パラメータによって規定される復号単位の前記数が、前記第１のパーティション単位の中に収まることができるコード化ツリーブロック（ＣＴＢ）の最大数に等しい最大値を上回らない、Ｃ４に記載の装置。
［Ｃ６］  前記ビットストリームが、各々が前記ビットストリームの中の１つ以上の連続したネットワーク抽象化レイヤ（ＮＡＬ）ユニットを含む複数の復号単位を含み、ここにおいて、前記ビットストリームの中の前記複数の復号単位の各々が、前記複数のビットストリームパーティションのうちの１つのみに属する１つ以上のＮＡＬ単位を含む、Ｃ１に記載の装置。
［Ｃ７］  前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記ビットストリームの中の単一のピクチャに属する１つ以上のＮＡＬ単位を含む、Ｃ１に記載の装置。
［Ｃ８］  前記ビットストリームが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記ビットストリームが可変ビットレートを有する、Ｃ１に記載の装置。
［Ｃ９］  前記第１のビットストリームパーティションが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記第１のビットストリームパーティションが前記複数のビデオレイヤのうちの最低レイヤを含む、Ｃ１に記載の装置。
［Ｃ１０］  ビットストリームの中のビデオ情報をコード化する方法であって、
複数のビットストリームパーティションのうちの第１のビットストリームパーティションに関連するビットストリーム適合パラメータを処理することと、各ビットストリームパーティションが、前記ビットストリームの中の複数のビデオレイヤのうちの少なくとも１つを含み、ここにおいて、前記ビットストリーム適合パラメータが、前記第１のビットストリームパーティションに適用可能であるが、前記第１のビットストリームパーティションによって包含されない、前記ビットストリームの別の部分に適用可能でない、
前記ビットストリームの中の前記第１のビットストリームパーティションに関連するシンタックス要素をコード化することと
を備える方法。
［Ｃ１１］  前記ビットストリームの中の前記複数のビデオレイヤを、ビットストリームパーティションの１つ以上の利用可能な組合せを規定する区分方式に従って、前記１つ以上のビットストリームパーティションに分割することを更に備える、Ｃ１０に記載の方法。
［Ｃ１２］  前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、Ｃ１０に記載の方法。
［Ｃ１３］  前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、Ｃ１２に記載の方法。
［Ｃ１４］  前記ビットストリーム適合パラメータによって規定される復号単位の前記数が、前記第１のパーティション単位の中に収まることができるコード化ツリーブロック（ＣＴＢ）の最大数に等しい最大値を上回らない、Ｃ１３に記載の方法。
［Ｃ１５］  前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記複数のビットストリームパーティションのうちの１つのみに属する１つ以上のＮＡＬ単位を含む、Ｃ１０に記載の方法。
［Ｃ１６］  前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記ビットストリームの中の単一のピクチャに属する１つ以上のＮＡＬ単位を含む、Ｃ１０に記載の方法。
［Ｃ１７］  前記ビットストリームが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記ビットストリームが可変ビットレートを有する、Ｃ１０に記載の方法。
［Ｃ１８］  前記第１のビットストリームパーティションが、第１の復号単位がコード化ピクチャバッファ（ＣＰＢ）からいつ除去されるべきかを規定する第１の除去時間に関連する前記第１の復号単位と、第２の復号単位が前記ＣＰＢからいつ除去されるべきかを規定する第２の除去時間に関連する前記第２の復号単位とを含み、ここにおいて、前記第１の除去時間が前記第２の除去時間よりも遅く、前記第２の復号単位が前記第１の復号単位に復号順序において先行し、ここにおいて、前記第１のビットストリームパーティションが前記複数のビデオレイヤのうちの最低レイヤを含む、Ｃ１０に記載の方法。
［Ｃ１９］  実行されたとき、装置に、
ビットストリームの中の複数のビデオレイヤに関連するビデオ情報を記憶することと、前記ビットストリームの中の前記複数のビデオレイヤが、複数のビットストリームパーティションに分割され、ここにおいて、各ビットストリームパーティションが、前記複数のビデオレイヤのうちの少なくとも１つを含む、
前記複数のビットストリームパーティションのうちの第１のビットストリームパーティションに関連するビットストリーム適合パラメータを処理することと、ここにおいて、前記ビットストリーム適合パラメータが、前記第１のビットストリームパーティションに適用可能であるが、前記第１のビットストリームパーティションによって包含されない、前記ビットストリームの別の部分に適用可能でない、
を行わせるコードを備える非一時的コンピュータ可読媒体。
［Ｃ２０］  前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、Ｃ１９に記載のコンピュータ可読媒体。
［Ｃ２１］  前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、Ｃ２０に記載のコンピュータ可読媒体。
［Ｃ２２］  前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記複数のビットストリームパーティションのうちの１つのみに属する１つ以上のＮＡＬ単位を含む、Ｃ１９に記載のコンピュータ可読媒体。
［Ｃ２３］  ビットストリームの中のビデオ情報をコード化するように構成されたビデオコード化機器であって、
前記ビットストリームの中の複数のビデオレイヤに関連するビデオ情報を記憶するための手段と、前記ビットストリームの中の前記複数のビデオレイヤが、複数のビットストリームパーティションに分割され、ここにおいて、各ビットストリームパーティションが、前記複数のビデオレイヤのうちの少なくとも１つを含む、
前記複数のビットストリームパーティションのうちの第１のビットストリームパーティションに関連するビットストリーム適合パラメータを処理するための手段と、ここにおいて、前記ビットストリーム適合パラメータが、前記第１のビットストリームパーティションに適用可能であるが、前記第１のビットストリームパーティションによって包含されない、前記ビットストリームの別の部分に適用可能でない、
を備えるビデオコード化機器。
［Ｃ２４］  前記ビットストリームが、前記ビットストリームの中の複数のネットワーク抽象化レイヤ（ＮＡＬ）単位を含むアクセス単位と、前記第１のビットストリームパーティションに属する、前記アクセス単位の前記複数のＮＡＬ単位のサブセットを含む第１のパーティション単位とを含み、ここにおいて、前記ビットストリーム適合パラメータが、前記第１のパーティション単位に関連し、前記ビットストリーム適合パラメータが、前記第１のパーティション単位の前記複数のＮＡＬ単位の前記サブセットに適用可能であるが、前記第１のパーティション単位によって包含されない、前記アクセス単位の他のＮＡＬ単位に適用可能でない、Ｃ２３に記載のビデオコード化機器。
［Ｃ２５］  前記ビットストリーム適合パラメータが、前記第１のパーティション単位に関連する、前記ビットストリームの中の復号単位の数を規定し、ここにおいて、前記ビットストリーム適合パラメータによって規定される復号単位の前記数が、単一のピクチャの中に収まることができる復号単位の最大数を上回る、Ｃ２４に記載のビデオコード化機器。
［Ｃ２６］  前記ビットストリームが、各々が前記ビットストリームの中の１つ以上の連続したネットワーク抽象化レイヤ（ＮＡＬ）単位を含む複数の復号単位を含み、ここにおいて、前記ビットストリームの中の前記複数の復号単位の各々が、前記複数のビットストリームパーティションのうちの１つのみに属する１つ以上のＮＡＬ単位を含む、Ｃ２３に記載のビデオコード化機器。